(57)【特許請求の範囲】
【請求項１】
本体(32)の内部に回動可能に配設され、駆動手段(44)により正逆方向に揺動される駆動板(48)と、本体(32)の内部で上端部が回動可能に枢支された作動板(52)と、前記駆動板(48)および作動板(52)に回動可能に連結された連結板(56)とからなり、前記駆動手段(44)により駆動板(48)を所定方向に揺動することで、前記連結板(56)を介して本体(32)の前方へ突出するよう傾動する作動板(52)により、前記本体(32)の前側に傾動可能に配設されて容器が載置される載置手段(34,36)を傾動させるよう構成した飲料ディスペンサの傾動装置において、
前記作動板(52)および連結板(56)には、該作動板(52)により前記載置手段(34,36)を傾動した状態で本体(32)から突出する部位に、作動板(52)の傾動方向と交差する方向から視て両板(52,56)の間に凹部を画成しないようにする保護部(52a,56a)が設けられている
ことを特徴とする飲料ディスペンサ。
【発明の詳細な説明】
【０００１】
【発明の属する技術分野】
この発明は、飲料ディスペンサの傾動装置に関し、更に詳細には、注出コックの下方に傾動可能に配設した容器受台に載置した容器を、該コックからの飲料の注出に際して容器受台と共に傾斜させるよう構成した飲料ディスペンサの傾動装置に関するものである。
【０００２】
【従来の技術】
発泡飲料をレバー操作で注出する装置、例えばビールサーバーでは、本体に配設された注出コックは操作用レバーを備え、駆動装置により該レバーを一方向へ倒してビールをジョッキに所定量注出した後、該レバーを反対方向へ倒してビールの細かい泡を前記ジョッキ中のビールに後注ぎする機能を備えたものがある。このような構成のビールサーバーは、注出コックの下方に容器受台を備え、該受台にジョッキを載置した状態で、該ジョッキにビールや泡を注出するよう構成されている。
【０００３】
前記容器受台に直立姿勢で載置されたジョッキにビール注出コックからビールを注出すると、該ビールがジョッキの内底面に勢いよく衝突し、必要以上に泡が発生する問題がある。そこで、サーバー本体に対して前記容器受台を傾動可能に配設すると共に、該受台を傾動する傾動装置をサーバー本体に配設し、ジョッキが載置された容器受台を傾動装置により傾動することで、ビールの注出に際して該ジョッキを傾斜姿勢とする構成が採用されている。これにより、ビールはジョッキの内側面に勢いよく衝突することはなく、多量の泡が発生するのは防止される。
【０００４】
【発明が解決しようとする課題】
前記傾動装置は、複数の連杆を相互に回動可能に連結したリンク機構を備え、該リンク機構をモータにより作動することで、リンク機構の作動連杆が傾動して前記容器受台を後側から押すことで傾動している。この場合において、容器受台を傾動した状態では、作動連杆や他の連杆の側面側が露出するため、各連杆の相互間に画成される凹部に作業者の手指等が入るおそれがある。
【０００５】
そこで、傾動装置における機構の側面側が露出するのを防ぐカバー部材を、サーバー本体に対して前方に進退可能に枢支し、該カバー体を容器受台と共に傾動させる構造のものが提案されている。しかし、この構造では、前記カバー部材の側面等に、注出コックの表面に生じて滴下した露が付着したり、該コックから後垂れするビールや泡等が付着するために汚れ易かった。またカバー部材を本体内部に収納する必要から、本体に開口を設けたり収納スペースを確保しなければならず、構造が複雑になると共に大型化する難点が指摘される。
【０００６】
【発明の目的】
本発明は、従来の技術に係る飲料ディスペンサの傾動装置に内在している前記欠点を好適に解決するべく提案されたものであって、簡単な構成で安全性を確保し得る飲料ディスペンサの傾動装置を提供することを目的とする。
【０００７】
【課題を解決するための手段】
前記課題を解決し、所期の目的を達成するため本発明は、
本体の内部に回動可能に配設され、駆動手段により正逆方向に揺動される駆動板と、本体の内部で上端部が回動可能に枢支された作動板と、前記駆動板および作動板に回動可能に連結された連結板とからなり、前記駆動手段により駆動板を所定方向に揺動することで、前記連結板を介して本体の前方へ突出するよう傾動する作動板により、前記本体の前側に傾動可能に配設されて容器が載置される載置手段を傾動させるよう構成した飲料ディスペンサの傾動装置において、
前記作動板および連結板には、該作動板により前記載置手段を傾動した状態で本体から突出する部位に、作動板の傾動方向と交差する方向から視て両板の間に凹部を画成しないようにする保護部が設けられていることを特徴とする。
【０００８】
【発明の実施の形態】
次に、本発明に係る飲料ディスペンサの傾動装置につき、好適な実施例を挙げて、添付図面を参照しながら以下説明する。この実施例では、飲料ディスペンサとしてビールサーバーを例示して説明するが、これに限定されるものでなく、ジュースやその他の飲料等を注出するディスペンサでもよいことは勿論である。
【０００９】
図１は、好適な実施例に係る傾動装置を示し、図２は、該傾動装置が採用されるビールサーバーの全体構成を示すものであって、該ビールサーバー１０は、サーバー本体(ディスペンサ本体)１２における前面に、ビールや泡を注出する注出コック１４が配設されている。この注出コック１４は、ビールや泡の流路を開閉する各種弁機構(図示せず)を内蔵したコック本体１６と、該コック本体１６から上方に延出して前後方向への傾倒操作によりビールと泡の注出を切換える操作用レバー１８とから基本的に構成される。またコック本体１６は、斜め下方へ平行に延出するビール注出ノズル２０および泡注出ノズル２２を備え、図２では、コック本体１６から斜め下方へ延出する後側(本体側)のノズルがビール注出ノズル２０であり、前側のノズルが泡注出ノズル２２である。
【００１０】
前記サーバー本体１２の前面には、前記注出コック１４の上方に臨む位置に、該本体１２に対して上下方向に移動可能に配設された筐体２４の内部に駆動機構(図示せず)を内蔵した駆動装置２６が配設され、該駆動装置２６の駆動機構により前記操作用レバー１８を前後に傾倒操作することで、後述する容器受台装置３０に載置された図示しないジョッキ(容器)にビールおよび泡を注出するよう構成されている。なお駆動装置２６は、駆動機構を操作用レバー１８から離間する上方の退避位置に移動位置決め可能に構成され、該操作用レバー１８を手動操作可能になっている。また筐体２４の前面には、注出ボタンや注出量設定スイッチ等を備えた操作盤２８が配設され、該操作盤２８を操作することにより、前記駆動装置２６や容器受台装置３０が作動制御されるようになっている。
【００１１】
前記サーバー本体１２の前面には、ジョッキを載置する容器受台装置３０が、注出コック１４の下方位置に配設されている。この容器受台装置３０は、サーバー本体１２に配設された本体としてのカバー体３２の前面側に、傾動部材３４を介して載置部材３６が傾動可能に配設されており、該載置部材３４は、ビールおよび泡の注出に際してはカバー体３２に内蔵された傾動装置３８により、その下端が前側上方に向けて所定角度で傾くまで傾動されるよう構成される。なお、実施例では傾動部材３４と載置部材３６とから載置手段が構成される。
【００１２】
前記カバー体３２は、図１に示すように略矩形の箱状体であって、その上面は前方に向かって下方傾斜しており、前記注出コック１４等から滴下した露やビール等を、容器受台装置３０の下方に配設されたドレンパン４０に速やかに排出し得るよう構成される。またカバー体３２には、幅方向(左右方向)の略中央位置に、前方および下方に開放する収納部３２ａが形成され、該収納部３２ａに前記傾動装置３８を構成するリンク機構４２が収納されている。
【００１３】
前記カバー体３２の内部には、図１に示す如く、傾動装置３８を構成する駆動手段としてのモータ４４が配設されており、該モータ４４に適宜のギヤ列等を介して連繋されて正逆回転される駆動軸４６に、駆動板４８の一端部が一体回転可能に連結されている。また収納部３２ａ内の前方位置に、上端部が第１ピン５０を介して回動可能に枢支された作動板５２が垂下し、この作動板５２の長手方向略中央位置に第２ピン５４を介して回動可能に連結された連結板５６の作動板５２との枢支部から離間する位置に、前記駆動板４８の他端部が第３ピン５８を介して回動可能に連結されて、リンク機構４２が構成される。そして、モータ４４の正逆回転によりリンク機構４２が作動し、作動板５２は収納部３２ａ内に臨む待機位置(図３)と、該収納部３２ａから前方に傾動突出して前記傾動部材３４および載置部材３６を傾動させる作動位置(図１)との間を傾動するよう構成される。なお、作動板５２の下端部(第１ピン５０により枢支部から離間する自由端部)にローラ６０が回動可能に枢支されており、その傾動時に該ローラ６０を傾動部材３４に係合当接することで接触抵抗を低減するようになっている。また、作動板５２が待機位置に臨む状態では、図３に示す如く、該作動板５２を含むリンク機構４２の全体が収納部３２ａ内に臨み、前記注出コック１４等から滴下した露やビール等が付着しないよう構成されている。
【００１４】
前記作動板５２には、その自由端部から連結板５６との枢支部に亘る間で、作動位置(図１)まで傾動した際に前記カバー体３２の前方に突出する部位に、該作動位置において下側に向けて所定長さで略円弧状に延出する保護部５２ａが形成されている。また前記連結板５６には、作動板５２および駆動板４８との枢支部間に亘る間で、作動板５２が作動位置まで傾動した際にカバー体３２の前方に突出する部位に、該作動板５２が作動位置に臨む状態で、下側に向けて所定長さで略フタコブ状に延出する下保護部５６ａが形成され、該下保護部５６ａの一部が、前記作動板５２の保護部５２ａと幅方向(作動板５２の傾動方向と交差する方向)に重なるようになっている。そして、両保護部５２ａ,５６ａは、図１に示す如く、前記作動板５２が作動位置まで傾動することで前記カバー体３２の前方に突出した状態で、作動板５２の傾動方向と交差する方向から視て両板５２,５６の間に凹部を画成しないようにするべく機能する。すなわち、作動板５２により前記載置手段(３４,３６)を傾動した状態で、カバー体３２の側方から作動板５２と連結板５６との間に手指が入るのを防止するようになっている。また保護部５２ａおよび下保護部５６ａは、作動板５２が作動位置から待機位置に傾動復帰する際には、図４に示すように重なりつつ傾動することで、作動板５２および連結板５６の間に凹部が画成されないよう設定される。
【００１５】
なお、作動板５２の保護部５２ａおよび連結板５６の下保護部５６ａにおける端縁部は、何れも円弧状の曲線状に設定されており、仮に作動板５２の保護部５２ａと連結板５６の下保護部５６ａとの下側に手指があっても、作動板５２が待機位置に傾動復帰する際には、両保護部５２ａ,５６ａが重なりつつ傾動することで(図４参照)、手指が下方(作動板５２および連結板５６から離間する方向)に押し出されるよう構成される。すなわち、保護部５２ａおよび下保護部５６ａは、作動板５２が作動位置から待機位置に傾動復帰する際に、両保護部５２ａ,５６ａの下側に臨む手指を、作動板５２および連結板５６から離間する方向に押し出す形状に形成されている。
【００１６】
前記連結板５６における作動板５２および駆動板４８との枢支部間に亘る間には、作動板５２が作動位置に臨む状態で、上側に向けて所定長さで延出する上保護部５６ｂが形成され、該上保護部５６ｂの一部が、前記作動板５２と重なるよう設定される。そして、作動板５２が前記載置手段(３４,３６)を傾動した状態で、前記カバー体３２から前方に突出する作動板５２と連結板５６およびカバー体３２の前端との間には、側方(作動板５２の傾動方向と交差する方向)から作業者の手指が入る大きさの隙間が画成されないよう構成される(図１参照)。
【００１７】
前記傾動部材３４の後面上部に取付部材６２が設けられ、該取付部材６２が、前記カバー体３２の傾斜上面に配設された支持部材６４に軸部材６６を介して傾動可能に枢支される。そして傾動部材３４は、前記リンク機構４２のローラ６０が裏面に当接していない状態(傾動装置３８の非作動時)で、その裏面が前記カバー体３２の前面に当接して収納部３２ａの前面を覆い、収納部３２ａ内に露やビール等が侵入するのを防止するよう構成されている。また傾動部材３４に着脱可能に掛止される載置部材３６の下部には、図２に示す如く、上下に離間して上部受台３６ａと下部受台３６ｂとが配設され、各受台３６ａ,３６ｂにサイズの異なるジョッキを選択して載置し得るよう構成される。
【００１８】
【実施例の作用】
次に、実施例に係るビールサーバーの作用につき以下説明する。前記載置部材３６の上下何れかの受台３６ａ,３６ｂに、対応するサイズのジョッキを載置した後、前記操作盤２８を操作すると、前記傾動装置３８のモータ４４が所定方向に回転する。これにより前記リンク機構４２が作動し、待機位置に臨む作動板５２は、図３→図４→図１の順で、カバー体３２の収納部３２ａにおける前方開口部から前方に傾動突出する。このときに、前記ローラ６０が前記傾動部材３４の後面に係合当接しつつ該作動板５２が上方に向けて傾動することで、傾動部材３４および載置部材３６が傾動する。これにより、載置部材３６に載置されているジョッキが傾斜姿勢となる。次いで、前記駆動装置２６が作動制御され、前記操作用レバー１８が前後動されて、前記注出コック１４からビールと泡とがジョッキに注出される。このとき、ジョッキは傾斜姿勢となっているから、ビールがジョッキの内側面に勢いよく衝突することはなく、必要以上の泡が発生することはない。
【００１９】
所定量のビールおよび泡がジョッキに注出されると、前記傾動装置３８のモータ４４が逆転し、リンク機構４２の作動板５２が、図１→図４→図３の順で待機位置に戻ることで、前記載置部材３６および傾動部材３４も元の姿勢に戻る。この作動板５２が待機位置に戻った状態では、図３に示す如く、前述したようにリンク機構４２の全体が収納部３２ａ内に臨んでいる。しかも、傾動装置３８の非作動時には、収納部３２ａの前方開口部は、前記傾動部材３４で塞いでいるから、前記注出コック１４等から滴下した露やビール等が、該リンク機構４２(傾動装置３８)に付着するのは抑制される。すなわち、リンク機構４２が汚れ難くなると共に、ビールや泡等の付着によって前記ローラ６０の回転およびリンク機構自体の動作の円滑化が低下するのは防止される。
【００２０】
また、前記作動板５２が作動位置に臨む状態では、図１に示す如く、該作動板５２と連結板５６との間には、前記保護部５２ａおよび下保護部５６ａにより、該作動板５２の傾動方向と交差する方向から視て凹部が画成されないようになっており、カバー体３２と傾動部材３４との間に側方から手指を入れても、作動板５２と連結板５６との間に該手指が挿入されるのは阻止される。しかも、作動板５２が作動位置から待機位置に傾動復帰する際においても、保護部５２ａおよび下保護部５６ａにより作動板５２および連結板５６の間に凹部が画成されないよう設定されているから、該作動板５２が作動位置から待機位置に傾動復帰するときに、作動板５２と連結板５６との間に手指が入ることもない。更に、作動板５２の保護部５２ａおよび連結板５６の下保護部５６ａの端縁部は、何れも外方に突出する円弧状の曲線状に設定されているから、仮に作動板５２の保護部５２ａと連結板５６の下保護部５６ａとの下側に手指があっても、作動板５２が待機位置に傾動復帰する際には、両保護部５２ａ,５６ａの端縁部によって手指が下方に押し出される。
【００２１】
なお、前記連結板５６は板体であるので、リンク機構４２の幅寸法を小さく抑えることができると共に、該連結板５６の上下の保護部５６ａ,５６ｂが作動板５２に対して側面で所要の領域に亘って当接するから、作動板５２の剛性が向上する。すなわち、ビールが供給された重量のあるジョッキが載置されている載置部材３６を元の直立姿勢に戻す際に、該作動板５２にガタを生ずるのを抑えることができ、円滑な作動が達成される。
【００２２】
前記実施例では、傾動部材と載置部材とで載置手段を構成したが、１つの部材により載置手段を構成してもよい。また実施例の傾動装置は、モータによりリンク機構を作動する構成としたが、駆動手段として流体圧シリンダを採用してリンク機構を作動することも可能である。更に、実施例ではサーバー本体の前面に配設したカバー体の内部に傾動装置を配設した場合で説明したが、カバー体を用いることなく、サーバー本体(本体)の内部に傾動装置を配設し、該サーバー本体の前方に作動板を傾動突出可能に構成してもよい。
【００２３】
【発明の効果】
以上に説明した如く、本発明に係る飲料ディスペンサの傾動装置によれば、作動板と連結板に保護部を設けるだけの簡単な構成で安全性を向上することができる。すなわち、カバー部材等を別途に設ける必要はないので、該部材を本体内に収納するために改良したり収納スペースを確保する等の必要はなく、製造コストを上昇させることなく簡単に対処し得る。
【図面の簡単な説明】
【図１】  本発明の好適な実施例に係る傾動装置を作動板の作動状態で示す要部概略図である。
【図２】  実施例に係るビールサーバーの側面図である。
【図３】  実施例に係る傾動装置を作動板の待機状態で示す要部概略図である。
【図４】  実施例に係る傾動装置を作動板の傾動途中の状態で示す要部概略図である。
【符号の説明】
３２ カバー体(本体)，３４ 傾動部材(載置手段)，３６ 載置部材(載置手段)４４ モータ(駆動手段)，４８ 駆動板，５２ 作動板，５２ａ 保護部
５６ 連結板，５６ａ 下保護部
【図１】
0004250313.tif 000002
【図２】
0004250313.tif 000003
【図３】
0004250313.tif 000004
【図４】
0004250313.tif 000005